(57)【要約】【課題】  より広い領域に温風を行き渡らせることが可能な乾燥機を提供すること。【解決手段】  吸気口１０４１，１０５１，１０６１を有する筐体１と、筐体１内に収容された送風手段２と、送風手段２により送り出される空気を加熱する加熱手段３と、２つの吐出部５と、を備える乾燥装置であって、２つの吐出部５は、筐体１の外側に延びる屈曲自在なホース５２と、ホース５２の各出側端寄りに取り付けられたホース保持具５３と、をそれぞれ有し、ホース保持具５３は、筐体１のうち２つの吐出部５の並び方向に沿った面のうち一方の面側において保持される。【選択図】  図２
2020115079.tif 000002
【特許請求の範囲】
【請求項１】
吸気口を有する筐体と、
前記筐体内に収容された送風手段と、
前記送風手段により送り出される空気を加熱する加熱手段と、
２つの吐出部と、を備える乾燥装置であって、
前記２つの吐出部は、前記筐体の外側に延びる屈曲自在なホースと、該ホースの各出側端寄りに取り付けられたホース保持具と、をそれぞれ有し、
前記ホース保持具は、前記筐体のうち前記２つの吐出部の並び方向に沿った面のうち一方の面側において保持される、乾燥装置。
【請求項２】
前記ホース保持具は、それぞれ係合突片を有し、
前記筐体は、前記一方の面側に前記係合突片が係合する突片収容部を２つ有する、請求項１に記載の乾燥装置。
【請求項３】
前記２つの突片収容部は、前記筐体の前記一方の面において前記並び方向に沿って並んで設けられる、請求項２に記載の乾燥装置。
【請求項４】
前記２つの吐出部の前記ホースは、前記ホース保持具が前記筐体で保持された状態でそれぞれの一部がＵ字状に屈曲し、且つ、前記並び方向から見た場合に互いの少なくとも一部が重なる、請求項１ないし３のいずれかに記載の乾燥装置。
【請求項５】
前記吐出部は、それぞれが該吐出部の出側端に設けられた吐出ノズルを含み、
前記吐出ノズルの先端は、前記ホース保持具が前記筐体で保持された状態において、前記筐体の載置面より上部に位置する、請求項１ないし４のいずれかに記載の乾燥装置。
【発明の詳細な説明】
【技術分野】
【０００１】
本発明は、乾燥装置に関する。
【背景技術】
【０００２】
布団などの生活用品を乾燥する乾燥装置が知られている。特許文献１には、従来の乾燥装置の一例が開示されている。同文献の乾燥装置は、送風機および加熱手段を収容する筐体と、筐体から延びる吐出部とを備えている。この吐出部は、筐体に固定された１本の第１ホースと、分岐継手を介して第１ホースに接続された２本の第２ホースとを有する。２本の第２ホースを有することにより、複数の領域に乾燥のための温風を吐出することができる。
【先行技術文献】
【特許文献】
【０００３】
【特許文献１】登録実用新案第３０３５７７６号公報
【発明の概要】
【発明が解決しようとする課題】
【０００４】
しかしながら、第１ホースに取り付けられた分岐継手に２本の第２ホースが収まるように構成されているため、第２ホースの径が第１ホースに対して細く設定されている。このため、第２ホースのそれぞれから吐出される温風の風量が不足することが懸念される。
【０００５】
本発明は、上記した事情のもとで考え出されたものであって、より広い領域に温風を行き渡らせることが可能な乾燥機を提供することをその課題とする。
【課題を解決するための手段】
【０００６】
本発明によって提供される乾燥装置は、吸気口を有する筐体と、前記筐体内に収容された送風手段と、前記送風手段により送り出される空気を加熱する加熱手段と、２つの吐出部と、を備える乾燥装置であって、前記加熱手段より下流側において前記筐体に固定された入側開口と、２つの出側ダクトと、を有する分岐部を備え、前記２つの吐出部は、前記２つの出側ダクトに各々の入側端が各別に取り付けられることを特徴としている。
【０００７】
本発明の好ましい実施の形態においては、前記分岐部は、前記筐体から露出している。
【０００８】
本発明の好ましい実施の形態においては、前記２つの出側ダクトは、第１方向に延びる第１出側ダクトと、前記第１方向と交差する方向に延びる第２出側ダクトと、を含む。
【０００９】
本発明の好ましい実施の形態においては、前記吐出部は、筒状部材および当該筒状部材に対して可動する第１可動部を有し且つ出側端に設けられた吐出ノズルを含み、前記第１可動部は、前記筒状部材の通風方向に沿う第１状態と、当該通風方向と交差する方向に沿う第２状態と、に可動する。
【００１０】
本発明の好ましい実施の形態においては、前記吐出ノズルは、前記筒状部材のうち前記第１可動部とは異なる位置に設けられ、前記筒状部材に対して可動する第２可動部を有し、前記第２可動部は、前記筒状部材の通風方向に沿う第１状態と、当該通風方向と交差する方向に沿う第２状態と、に可動する。
【００１１】
本発明の好ましい実施の形態においては、前記吐出部は、前記出側ダクトに取り付けられる屈曲自在なホースと、当該ホースの出側端寄りに取り付けられたホース保持具と、を有し、前記ホース保持具は、前記筐体に保持される。
【発明の効果】
【００１２】
本発明によれば、より広い領域に温風を行き渡らせることができる。
【００１３】
本発明のその他の特徴および利点は、添付図面を参照して以下に行う詳細な説明によって、より明らかとなろう。
【図面の簡単な説明】
【００１４】
【図１】本発明の第１実施形態に係る乾燥機を示す斜視図である。
【図２】本発明の第１実施形態に係る乾燥機を示す斜視図である。
【図３】本発明の第１実施形態に係る乾燥機を示す平面図である。
【図４】本発明の第１実施形態に係る乾燥機を示す正面図である。
【図５】本発明の第１実施形態に係る乾燥機を示す底面図である。
【図６】本発明の第１実施形態に係る乾燥機を示す背面図である。
【図７】本発明の第１実施形態に係る乾燥機を示す左側面図である。
【図８】本発明の第１実施形態に係る乾燥機を示す右側面図である。
【図９】本発明の第１実施形態に係る乾燥機を示す分解斜視図である。
【図１０】本発明の第１実施形態に係る乾燥機を示す分解斜視図である。
【図１１】図３のＸＩ−ＸＩ線に沿う断面図である。
【図１２】図３のＸＩＩ−ＸＩＩ線に沿う断面図である。
【図１３】図３のＸＩＩＩ−ＸＩＩＩ線に沿う断面図である。
【図１４】本発明の第１実施形態に係る乾燥機を示す要部斜視図である。
【図１５】本発明の第１実施形態に係る乾燥機の分岐部を示す斜視図である。
【図１６】本発明の第１実施形態に係る乾燥機の分岐部を示す正面図である。
【図１７】本発明の第１実施形態に係る乾燥機の分岐部を示す平面図である。
【図１８】本発明の第１実施形態に係る乾燥機の分岐部を示す底面図である。
【図１９】図１７のＸＩＸ−ＸＩＸ線に沿う断面図である。
【図２０】本発明の第１実施形態に係る乾燥機の吐出部を示す斜視図である。
【図２１】本発明の第１実施形態に係る乾燥機の吐出部を示す斜視図である。
【図２２】本発明の第１実施形態に係る乾燥機の吐出ノズルを示す正面図である。
【図２３】本発明の第１実施形態に係る乾燥機の吐出ノズルを示す側面図である。
【図２４】図２２のＸＸＩＶ−ＸＸＩＶ線に沿う断面図である。
【図２５】本発明の第１実施形態に係る乾燥機の吐出ノズルを示す側面図である。
【図２６】本発明の第１実施形態に係る乾燥機の一使用例を示す平面図である。
【図２７】本発明の第１実施形態に係る乾燥機の他の使用例を示す平面図である。
【図２８】本発明の第１実施形態に係る乾燥機の他の使用例を示す側面図である。
【図２９】本発明の第２実施形態に係る乾燥機の吐出ノズルを示す側面図である。
【図３０】本発明の第３実施形態に係る乾燥機の吐出部を示す斜視図である。
【図３１】本発明の第４実施形態に係る乾燥機を示す斜視図である。
【発明を実施するための形態】
【００１５】
以下、本発明の好ましい実施の形態につき、図面を参照して具体的に説明する。
【００１６】
＜第１実施形態＞
図１〜図１４は、本発明の第１実施形態に係る乾燥機を示している。本実施形態の乾燥装置Ａ１は、筐体１、送風手段２、加熱手段３、分岐部４、２つの吐出部５、操作部７および電源部８を備えている。乾燥装置Ａ１は、布団などの生活用品を乾燥するために用いられる。
【００１７】
図１は、乾燥装置Ａ１を示す斜視図である。図２は、乾燥装置Ａ１を示す斜視図である。図３は、乾燥装置Ａ１を示す平面図である。図４は、乾燥装置Ａ１を示す正面図である。図５は、乾燥装置Ａ１を示す底面図である。図６は、乾燥装置Ａ１を示す背面図である。図７は、乾燥装置Ａ１を示す左側面図である。図８は、乾燥装置Ａ１を示す右側面図である。図９は、乾燥装置Ａ１を示す分解斜視図である。図１０は、乾燥装置Ａ１を示す分解斜視図である。図１１は、図３のＸＩ−ＸＩ線に沿う断面図である。図１２は、図３のＸＩＩ−ＸＩＩ線に沿う断面図である。図１３は、図３のＸＩＩＩ−ＸＩＩＩ線に沿う断面図である。図１４は、乾燥装置Ａ１を示す要部斜視図である。これらの図において、ｚ方向の一方側を「上」、他方側を「下」と称する場合がある。また、ｘ方向の一方側を「右」、他方側を「左」と称する場合がある。また、ｙ方向の一方側を「前」、他方側を「後」と称する場合がある。また、図１５〜図２５は、乾燥装置Ａ１の各部を説明するための図であり、説明において適宜参照する。
【００１８】
＜筐体１＞
筐体１は、送風手段２、加熱手段３、操作部７および電源部８を収容しており、乾燥装置Ａ１の外観の大部分をなしている。筐体１は、例えばＡＢＳ樹脂等の樹脂材料からなるが、その材質は特に限定されない。また、筐体１は、全体が一体的に形成されていてもよいし、複数の別体の部位によって形成されていてもよい。乾燥装置Ａ１の製造や使用の便宜から、筐体１は、複数の別体の部位によって形成されていることが好ましい。
【００１９】
本実施形態の筐体１は、図１及び図２に示すように、ｚ方向に起立した姿勢で設置可能な形状であり、ｚ方向視において四隅がラウンド形状とされた矩形状である。筐体１は、前面１０１、後面１０２、上面１０３、下面１０４、側面１０５及び側面１０６を有する。
【００２０】
前面１０１は、図３、図４、図７及び図８に示すように、ｙ方向前側を向く面であり、ｚ方向に対して略平行である。図３、図６、図７及び図８に示すように、後面１０２は、ｙ方向後ろ側を向く面であり、ｚ方向対して略平行である。また、後面１０２は、膨出部１０２１を有する（図１０参照）。膨出部１０２１は、後面１０２のｚ方向下側の一部が、ｙ方向後ろ側に膨出した部分である。
【００２１】
上面１０３は、図３、図４、図７及び図８に示すように、ｚ方向上側に位置する面であり、図示された例においては、略平坦な面である。上面１０３は、ｚ方向に対して略直角である。上面１０３は、送風手段２からの風を吐出部５に通風させるために開口している。また、図示された例においては、上面１０３には、通気口１０３１が設けられている。通気口１０３１は、上面１０３を貫通する複数の貫通孔からなり、例えば電源部８からの熱を外部に逃がすためのものである。
【００２２】
下面１０４は、図４、図５、図７及び図８に示すように、ｚ方向下側を向く面であり、乾燥装置Ａ１を床面等に載置する際に、床面等に正対する面であり、ｚ方向に対して直角である。図１、図２、図４〜８に示すように、本実施形態においては、筐体１は、複数の脚部１４及び脚部１５を有する。複数の脚部１４は、下面１０４のｘ方向両側において、ｚ方向下方に突出するリブ状の部位である。複数の脚部１５は、下面１０４のｙ方向両側において、ｚ方向下方に突出するブロック状の部位である。複数の脚部１４及び複数の脚部１５のｚ方向下端は、ｚ方向に対して略同じ位置にある。複数の脚部１４及び複数の脚部１５は、乾燥装置Ａ１を床面等に載置する際に、床面等に当接する部位である。
【００２３】
側面１０５は、図３、図４及び図７に示すように、ｙ方向正面視においてｘ方向左側に位置する面であり、ｚ方向に対して略平行である。側面１０６は、図３、図４及び図８に示すように、ｙ方向正面視においてｘ方向右側に位置する面であり、ｚ方向に対して略平行である。
【００２４】
また、筐体１は、図５、図７及び図８に示すように、吸気口１０４１、吸気口１０５１及び吸気口１０６１を有する。吸気口１０４１、吸気口１０５１及び吸気口１０６１は、送風手段２に向けて外気を吸気するためのものである。吸気口１０４１は、下面１０４に設けられており、複数の貫通孔からなる。吸気口１０５１は、側面１０５に設けられており、複数の貫通孔からなる。吸気口１０６１は、側面１０６に設けられており、複数の貫通孔からなる。また、図９に示された例においては、筐体１は、フィルタ１６１，１６２，１６３を有する。フィルタ１６１，１６２，１６３は、吸気される外気の埃等を除去するためのものである。フィルタ１６１は、吸気口１０４１の内側に設けられている。フィルタ１６２は、吸気口１０５１の内側に設けられている。フィルタ１６３は、吸気口１０６１の内側に設けられている。
【００２５】
また、筐体１は、図１、図２、図９及び図１０に示すように、ホース係合部１１、ハンドル部１２、電源ケーブル収容部１３及び通風部１７を有する。
【００２６】
ホース係合部１１は、後面１０２のｚ方向上側部分に設けられており、２つの吐出部５の一部を係合することにより、吐出部５を保持するためのものである。図１２、図１３及び図１４に示すように、図示された例においては、ホース係合部１１は、２つの突片収容部１１１を有する。なお、図１４は、２つの吐出部５及び後述のホースベース５４を省略した要部斜視図である。
【００２７】
２つの突片収容部１１１は、ｘ方向に離間して形成されている。突片収容部１１１は、ｚ方向上側が開口した凹部である。突片収容部１１１には、後述の吐出部５のホース保持具５３の係合突片５３２（図２１参照）が収容される。
【００２８】
ハンドル部１２は、図１、図２、図３、図４、図１２及び図１３に示すように、上面１０３からｚ方向上方に突出するように設けられている。図示された例においては、ハンドル部１２は、上面１０３のｙ方向前側部分から、前面１０１と略面一となるように設けられている。ハンドル部１２は、使用者が乾燥装置Ａ１を持ち運び等する際に、筐体１を把持するための部分として用いられる。図示された例においては、ハンドル部１２は、ｙ方向正面視において、ｘ方向に長く延びる偏平な環状部分をなしている。
【００２９】
電源ケーブル収容部１３は、図１０、図１１及び図１３に示すように、筐体１のｚ方向上側のｘ方向右側部分に設けられており、内方に凹んだ部位である。電源ケーブル収容部１３は、図示しない乾燥装置Ａ１の電源ケーブルを、不使用時に収容するためのものである。図示された例においては、筐体１は、カバー１３１を有する。カバー１３１は、電源ケーブル収容部１３を塞ぐための部品であり、側面１０６のｚ方向上側部分に対して脱着自在である。
【００３０】
通風部１７は、送風手段２からの風を吐出部５へ通風させるための部位であり、図９〜図１４に示すように、上面１０３の直下に設けられている。図示された例においては、通風部１７は、ｚ方向を通風方向とする短軸筒状であり、ｚ方向視において略矩形状である。また、本実施形態においては、通風部１７は、２つの吐出部５が固定される部位である。なお、２つの吐出部５を筐体１に固定する手段や固定される部位は、何ら限定されない。
【００３１】
＜送風手段２＞
送風手段２は、乾燥装置Ａ１が吐出する温風のもととなる風を発生させるためのものである。図９〜図１３に示すように、本実施形態の送風手段２は、ファン２１、モータ２２及びケーシング２３を有する。送風手段２は、筐体１内においてｚ方向下側寄りに収容されている。
【００３２】
ファン２１は、複数の翼体を有しており、風を発生させる部位である。ファン２１の形式は特に限定されず、図示された例においては、ファン２１は、いわゆるシロッコファンとして構成されている。ファン２１は、ｘ方向に延びる軸周りに回転自在である。複数の翼体は、各々がｘ方向に長く延びており、ｘ方向に延びる軸周りに配置されている。図示された例においては、ファン２１は、筐体１内においてｘ方向左側寄り（側面１０５寄り）に配置されている。
【００３３】
モータ２２は、ファン２１を回転させるための駆動源であり、ファン２１に連結されている。モータ２２の具体的構成は特に限定されない。図示された例においては、モータ２２は、ファン２１に対してｘ方向右側（側面１０６側）に配置されている。
【００３４】
ケーシング２３は、ファン２１を収容しており、ファン２１の回転によって風を発生させるための空間を規定している。図示された例においては、ケーシング２３は、筐体１内においてｘ方向左側寄り（側面１０５寄り）に配置されており、吸入口２３１及び送風口２３２を有する。吸入口２３１は、ケーシング２３へと外気を吸入する部位であり、図示された例においては、ｘ方向左側（側面１０５側）に開口している。送風口２３２は、ファン２１によって発生した風が送り出される部位であり、ｚ方向上方に開口している。図示された例においては、吸入口２３１は、通風部１７のｚ方向下方に位置している。なお、図示された例においては、ｘ方向視において円形をなす筒状であるケーシング２３に対応して、筐体１の膨出部１０２１がｙ方向後方に膨出している。
【００３５】
＜加熱手段３＞
加熱手段３は、送風手段２から発生した風を、布団等の生活用品を乾燥させるのに適した温度に加熱するためのものである。加熱手段３の具体的な構成は特に限定されず、図９〜図１２に示すように、本実施形態においては、加熱手段３は、加熱部３１及び複数の端子部３２を有する。加熱手段３は、送風手段２の下流側に配置されており、図示された例においては、ｚ方向において送風手段２のケーシング２３の送風口２３２と筐体１の通風部１７との間に配置されている。
【００３６】
加熱部３１は、電源部８からの電力供給により発熱する部位である。加熱部３１の具体的構成は特に限定されず、従来公知の様々な電気式ヒータが適宜用いられる。例えば、加熱部３１は、送風手段２からの風をｚ方向下方から上方へと通風させることが可能なように、複数のヒータ要素が隙間や穴を構成するように設けられる。
【００３７】
複数の端子部３２は、図示しないケーブルによって電源部８と接続される部位である。端子部３２は、加熱部３１の複数のヒータ要素に導通しており、それぞれのヒータ要素に通電させるためのものである。
【００３８】
＜分岐部４＞
分岐部４は、送風手段２によって発生した風を分岐させて２つの吐出部５に導くためのものである。図９〜図１９に示すように、分岐部４は、入側開口４０、２つの出側ダクト４１，４２、入側ベース部４３及び隔壁４４を有する。図１５は、分岐部４を示す斜視図である。図１６は、分岐部４を示す正面図である。図１７は、分岐部４を示す平面図である。図１８は、分岐部４を示す底面図である。図１９は、図１７のＸＩＸ−ＸＩＸ線に沿う断面図である。分岐部４の材質は特に限定されず、種々の樹脂材料等を用いることができる。分岐部４は、耐熱性に優れた材料によって形成されることが好ましい。分岐部４は、加熱手段３の下流側に配置されるものであり、たとえば本実施形態においては加熱手段３の直上に配置されている。このため、分岐部４には、高温の温風が当たりやすい。分岐部４を筐体１とは別部材によって形成することにより、筐体１の材質よりも耐熱性に優れた別の材料によって分岐部４を形成することが可能である。これにより、筐体１と分岐部４とを同じ材料で一体で構成する場合に比べて耐熱性を向上させることができる。
【００３９】
入側開口４０は、送風手段２からの風が加熱手段３によって加熱されることにより生成された温風が流入する部位である。入側開口４０は、加熱手段３より下流側において筐体１に固定されている。本実施形態においては、入側開口４０は、筐体１のｚ方向上側部分に固定されており、より具体的には、筐体１の通風部１７に固定されている。図示された例においては、入側ベース部４３が、入側開口４０を通風部１７に固定するための部位として用いられている。図１８によく表れているように、入側開口４０及び入側ベース部４３は、ｚ方向視においてｘ方向に長く延びる長矩形状である。
【００４０】
２つの出側ダクト４１，４２は、入側開口４０から流入した温風を各々を通じて別々に吐出するためのものである。２つの出側ダクト４１，４２には、２つの吐出部５の入側端が各別に取り付けられる。
【００４１】
本実施形態においては、２つの出側ダクト４１，４２を、第１出側ダクト４１及び第２出側ダクト４２として説明する。第１出側ダクト４１は、全体として図１９に示す第１方向Ｎ１に延びており、第２出側ダクト４２は、全体として、第１方向Ｎ１と交差する方向である第２方向Ｎ２に延びている。第２方向Ｎ２が第１方向Ｎ１となす角度は特に限定されず、図示された例においては、例えば４５度程度である。図１１に示すように、図示された例においては、第１出側ダクト４１は、ｘ方向左側に設けられており、第１出側ダクト４１の略全体が、ファン２１、送風口２３２および加熱手段３のｚ方向直上に位置している。第２出側ダクト４２は、ｘ方向右側に設けられている。第２出側ダクト４２の下端は、ファン２１、送風口２３２および加熱手段３のｚ方向直上に位置するものの、第２出側ダクト４２の上端は、ファン２１、送風口２３２および加熱手段３からｘ方向右側にシフトした位置に設けられている。第２出側ダクト４２のｚ方向直下には、電源ケーブル収容部１３や送風手段２のモータ２２が配置されている。
【００４２】
隔壁４４は、第１出側ダクト４１と第２出側ダクト４２とを区画する壁であり、ｙ方向視において、ｚ方向上方に向かうほどｘ方向右側に位置するように傾いている。
【００４３】
図１９に示すように、図示された例においては、第１出側ダクト４１は、直状内側面４１１、屈曲内側面４１２及び出側縁部４１３を有する。直状内側面４１１は、ｘ方向左側に位置する内側面であり、ｚ方向に沿って起立した面である。屈曲内側面４１２は、ｘ方向右側に位置する内側面であり、隔壁４４のｘ方向左側の面である。屈曲内側面４１２は、屈曲した形状であり、全体としてｚ方向に対して傾いている。出側縁部４１３は、第１出側ダクト４１の出側に設けられた環状のフランジ状の部位であり、吐出部５が取り付けられる部位である。出側縁部４１３は、ｚ方向視において例えば円形状とされている。本実施形態においては、出側縁部４１３は、ｚ方向視においてその大部分が入側開口４０と重なっている。
【００４４】
また、図示された例においては、第２出側ダクト４２は、屈曲内側面４２１、屈曲内側面４２２及び出側縁部４２３を有する。屈曲内側面４２１は、ｘ方向左側に位置する内側面であり、隔壁４４のｘ方向右側の面である。屈曲内側面４２１は、屈曲した形状であり、全体としてｚ方向に対して傾いている。屈曲内側面４２２は、ｘ方向右側に位置する内側面である。屈曲内側面４２２は、屈曲した形状であり、全体としてｚ方向に対して傾いている。出側縁部４２３は、第２出側ダクト４２の出側に設けられた環状のフランジ状の部位であり、吐出部５が取り付けられる部位である。出側縁部４２３は、ｚ方向視において例えば円形状とされている。本実施形態においては、出側縁部４２３は、ｚ方向視において一部のみが入側開口４０と重なっており、大部分が入側開口４０からはみ出している。すなわち、ｚ方向視において、出側縁部４２３が入側開口４０と重なる部分の大きさは、出側縁部４１３が入側開口４０と重なる部分の大きさよりも小さい。出側縁部４１３と出側縁部４２３とは、ｘ方向に並んで配置されている。
【００４５】
＜吐出部５＞
２つの吐出部５は、送風手段２及び加熱手段３によって生成された温風を各々が吐出するためのものである。図１〜図３及び図９〜図１１に示すように、２つの吐出部５は、分岐部４の第１出側ダクト４１及び第２出側ダクト４２に各々の入側端が各別に取り付けられている。なお、２つの吐出部５は、筐体１に対して固定されていればよく、固定手法や固定箇所は、何ら限定されない。
【００４６】
図１２、図１３及び図２０〜図２５に示すように、吐出部５は、吐出ノズル５１、ホース５２及びホース保持具５３を有する。なお、図２０は、本発明の第１実施形態に係る乾燥機の吐出部を示す斜視図である。図２１は、吐出部５を示す斜視図である。図２２は、吐出ノズル５１を示す正面図である。図２３は、吐出ノズル５１を示す側面図である。図２４は、図２２のＸＸＩＶ−ＸＸＩＶ線に沿う断面図である。図２５は、吐出ノズル５１を示す側面図である。
【００４７】
吐出ノズル５１は、温風を吐出する部位であり、図示された例においては、筒状部材５１０及び第１可動部５１１を有する。吐出ノズル５１の材質は特に限定されず、例えばＡＢＳ樹脂等の樹脂材料からなる。
【００４８】
筒状部材５１０は、温風を通風させるための部材であり、入側口５１０１、吐出口５１０２及び２つの側方吐出孔５１０３を有する。入側口５１０１は、温風が流入する開口であり、筒状部材５１０の一方側の端部に設けられている。吐出口５１０２は、温風が吐出される開口であり、筒状部材５１０の他方側の端部に設けられている。なお、図示された例においては、吐出ノズル５１は、アロマ保持部５１５を有している。図示された例においては、吐出口５１０２が、ｘ方向左右側に位置する２つの開口を有する構成とされており、これらの開口の間にアロマ保持部５１５が装着されている。アロマ保持部５１５は、温風に所望の芳香を付与するためのアロマ剤を保持するためのものである。なお、吐出ノズル５１は、アロマ保持部５１５を有するものに限定されず、アロマ保持部５１５を有さない構成であってもよい。また、吐出口５１０２は、１つのみの開口または、３つ以上の開口を有していてもよい。
【００４９】
２つの側方吐出孔５１０３は、筒状部材５１０のｘ方向両側に設けられており、ｘ方向右側及び左側に温風を吐出するためのものである。図示された例においては、側方吐出孔５１０３は、ｚ方向に配列された複数の貫通孔によって構成されている。図示された例においては、これらの複数の貫通孔は、吐出口５１０２側に位置する相対的に小さい貫通孔と、入側口５１０１側に位置する相対的に大きな貫通孔とからなる。
【００５０】
第１可動部５１１は、筒状部材５１０に対して可動であり、図２３に示す、通風方向に沿う第１状態と、図２５に示す、通風方向と交差する方向に沿う第２状態と、に可動する。図示された例においては、第１可動部５１１は、主板部５１１１、２つの側板部５１１２及び２つの回転軸部材５１１３を有する。
【００５１】
主板部５１１１は、ｚ方向に延びる板状部材であり、図２３に示す第１状態において、筒状部材５１０に対してｙ方向後側から沿うように配置されている。２つの側板部５１１２は、主板部５１１１のｘ方向両側に繋がっており、ｚ方向に延びる板状部材である。２つの側板部５１１２は、図２３に示す第１状態において、筒状部材５１０に対してｘ方向両側から沿うように配置されている。図示された例においては、２つの側板部５１１２は、第１状態において、２つの側方吐出孔５１０３を覆っており、これらを塞いでいる。
【００５２】
２つの回転軸部材５１１３は、２つの側板部５１１２のｚ方向上側部分と筒状部材５１０のｚ方向上側部分とを互いに相対回転可能に連結している。２つの回転軸部材５１１３を有することにより、第１可動部５１１は、図２３及び図２５に示すように、２つの回転軸部材５１１３を通るｘ方向に延びる軸周りに回転可動する。図２３の第１状態から図２５に示す第２状態に第１可動部５１１が回転可動すると、第１可動部５１１がｙ方向に沿う状態となり、２つの側方吐出孔５１０３が第１可動部５１１の２つの側板部５１１２から露出する。
【００５３】
ホース５２は、分岐部４の第１出側ダクト４１または第２出側ダクト４２に取り付けられるものであり、屈曲自在の管状部材である。ホース５２の具体的構成は特に限定されず、例えば一般的な蛇腹ホースが用いられる。図示された例においては、ホース５２の一端にホース脱着部５２１が設けられている。ホース脱着部５２１は、ホース５２の一端を第１出側ダクト４１の出側縁部４１３または第２出側ダクト４２の出側縁部４２３に脱着自在に取り付けるための部材である。ホース５２の他端は、吐出ノズル５１に取り付けられている。
【００５４】
ホース保持具５３は、ホース５２を図１、図２、図１２及び図１３に示すように屈曲した状態で筐体１に保持させるためのものである。図示された例においては、図２１、図２３及び図２４に示すように、ホース保持具５３は、リング状部５３１及び係合突片５３２を有する。リング状部５３１は、吐出ノズル５１の入側口５１０１に取り付けられる部位であり、例えば円環形状の部位である。係合突片５３２は、リング状部５３１からｚ方向下方に向けて突出した突片状部位である。
【００５５】
図１２及び図１３に示すように、ホース保持具５３の係合突片５３２が、筐体１のホース係合部１１の突片収容部１１１にｚ方向上方から挿入されて収容されることにより、ホース保持具５３が突片収容部１１１に係合する。これにより、ホース５２が屈曲した状態で筐体１に保持される。
【００５６】
また、図示された例においては、乾燥装置Ａ１は、図１、図２、図７、図８及び図１１〜図１３に示すように、ホースベース５４を有する。ホースベース５４は、２つのホース保持具５３と分岐部４との接続部分と分岐部４とを覆っている。ホースベース５４の材質は特に限定されず、例えば樹脂材料からなる。なお、乾燥装置Ａ１は、ホースベース５４を有する構成に限定されず、例えば分岐部４が外観に露出した構成であってもよい。または、ホースベース５４と分岐部４とが一体的に形成されている構成であってもよい。
【００５７】
＜操作部７＞
操作部７は、図１及び図４に示すように、筐体１の前面１０１に設けられており、乾燥装置Ａ１の使用者が乾燥装置Ａ１の操作を行うためのものである。操作部７は、例えば複数の操作ボタン７１を有する。また、本実施形態においては、図９、図１２及び図１３に示すように、操作部７は、操作基板７２を有する。操作基板７２は、筐体１の前面１０１の内側に沿うように配置されており、複数の操作ボタン７１の押下動作に伴って電気信号を生成する電子部品等が実装されている。また、操作基板７２には、乾燥装置Ａ１の一部または全体の動作を制御する制御部（図示略）が適宜実装されていてもよい。
【００５８】
＜電源部８＞
電源部８は、例えば商用の１００Ｖ交流電力を、送風手段２のモータ２２や加熱手段３を駆動するのに適した電力に変換するためのものである。図示された例においては、電源部８は、図１０及び図１３に示すように、電源ケーブル収容部１３及びモータ２２のｙ方向前側に配置されており、ｚｘ平面に沿う姿勢とされた基板を有する。図１３に示すように、電源部８のｚ方向直上には、筐体１の通気口１０３１が位置している。
【００５９】
次に、乾燥装置Ａ１の作用について説明する。
【００６０】
図２６は、乾燥装置Ａ１の一使用例を示している。筐体１を例えば後面１０２がｚ方向下方を向く姿勢で敷布団Ｆｂに横たえて、掛布団Ｆｏと敷布団Ｆｂとの間に２つの吐出部５を挿入する。この状態で乾燥装置Ａ１を稼動させると、２つの吐出ノズル５１の吐出口５１０２から温風がそれぞれ吐出される。この際、２つの吐出ノズル５１を異なる位置に配置したり、異なる方向を向かせたりすることにより、掛布団Ｆｏおよび敷布団Ｆｂのより広い範囲を乾燥させたり温めたり、または送風したりすることができる。なお、同図は、第１可動部５１１が第１状態である例を示している。
【００６１】
そして、本実施形態の乾燥装置Ａ１は、図１１及び図１４に示すように、分岐部４を介して２つの吐出部５が筐体１に取り付けられている。分岐部４の入側開口４０は、筐体１（通風部１７）に直接固定されており、分岐部４と筐体１との間にホース等は介在していない。このため、送風手段２及び加熱手段３によって生成された温風が２つの吐出部５に到達するまでの経路が、例えば１つのホースによって構成された区間を有することから通風抵抗が大きくなるといったことを回避することができる。また、２つの吐出部５のホース５２は、例えば分岐部４のｚ方向視の大きさに収めるといった必要がなく、それぞれを比較的大径のホースを選択することができる。したがって、２つの吐出部５からより大風量の温風を吐出することが可能であり、より広い領域に温風を行き渡らせることができる。
【００６２】
また、本実施形態においては、分岐部４が筐体１から露出している。これにより、筐体１の小型化を図ることができる。また、分岐部４は、温風を通風し分岐するための部材であり、比較的高温になりやすい。このような分岐部４を外部に露出させることにより、分岐部４が過度に高温となることを回避することができる。なお、ホースベース５４を有する構成は、分岐部４が高温となった際に、使用者が誤って分岐部４に触れることを防止するのに好ましい。
【００６３】
図１１に示すように、第１出側ダクト４１は、ｚ方向に沿う第１方向Ｎ１に延びており、第２出側ダクト４２は、第１方向Ｎ１に対して傾いた第２方向Ｎ２に沿って延びている。これにより、筐体１内においてファン２１、送風口２３２及び加熱手段３をｘ方向の一方側（図示された例における左側）に配置し、この直上に第１出側ダクト４１の出側縁部４１３を配置する一方、第２出側ダクト４２の出側縁部４２３をファン２１、送風口２３２及び加熱手段３に対してｘ方向右側にずれた位置に配置することができる。すなわち、２つの吐出部５を、筐体１の中心を挟んでｘ方向両側に対称的に接続することが可能である一方、ファン２１、送風口２３２及び加熱手段３を筐体１内においてｘ方向の一方側に偏って配置することが可能である。これは、ファン２１、送風口２３２及び加熱手段３を筐体１のｘ方向中央に配置する場合と比べて、筐体１の小型化を図るのに有利である。また、図１１及び図１３に示すように、第２出側ダクト４２の出側縁部４２３のｚ方向直下に電源ケーブル収容部１３やモータ２２を配置することにより、筐体１の小型化をさらに促進することができる。
【００６４】
筐体１がホース係合部１１を有し２つの吐出部５がそれぞれホース保持具５３を有することにより、図１、図２、図１２及び図１３に示すように、乾燥装置Ａ１の不使用時において２つの吐出部５のホース５２をそれぞれ屈曲した状態で、筐体１に保持させることができる。
【００６５】
図２７及び図２８は、乾燥装置Ａ１の他の使用例を示している。本使用例においては、２つの吐出部５の吐出ノズル５１の第１可動部５１１が、図２５に示した第２状態とされている。これにより、図２８に示すように、筒状部材５１０から起立した姿勢の第１可動部５１１によって、掛布団Ｆｏの一部を敷布団Ｆｂから遠ざけることが可能であり、掛布団Ｆｏと敷布団Ｆｂとの間により大きな空間を形成することが可能である。したがって、吐出ノズル５１からの温風をさらに広い領域に行き渡らせることができる。なお、本実施形態においては、ハンドル部１２のホースベース５４との間に、掛布団Ｆｏの端部を挟み込むことが可能である。これにより、掛布団Ｆｏの端部を保持した状態で、掛布団Ｆｏの他の部分（吐出ノズル５１を覆う部分）を敷布団Ｆｂから持ち上げることが可能である。これにより、第１可動部５１１に第２状態をとらせることにより、掛布団Ｆｏを敷布団Ｆｂからさらに遠ざけつつ、掛布団Ｆｏの端部が敷布団Ｆｂから意図せず離れてしまい、吐出ノズル５１からの温風が、掛布団Ｆｏの端部から外側に漏れてしまうことを抑制することができる。
【００６６】
また、図２７に示すように、第１可動部５１１が第２状態をとると、筒状部材５１０の２つの側方吐出孔５１０３が第１可動部５１１によって覆われず、露出する。これにより、吐出口５１０２からの吐出に加えて、２つの側方吐出孔５１０３から温風を吐出することが可能である。これにより、第２可動部５１２が第２状態をとることによって拡大された掛布団Ｆｏと敷布団Ｆｂとの間の空間に、温風をより万遍なく行き渡らせることができる。これは、掛布団Ｆｏや敷布団Ｆｂを乾燥したり温めたりするのに好適である。
【００６７】
なお、２つの吐出部５が、それぞれ第１可動部５１１を有する吐出ノズル５１を備える構成に限定されず、一方の吐出部５の吐出ノズル５１のみが第１可動部５１１を有する構成であってもよい。また、本実施形態とは異なり、１つのみの吐出部５を備える乾燥装置において、図２０〜図２５に示す吐出部５の構成を採用してもよい。このような構成であっても、図２７及び図２８に示すように掛布団Ｆｏを敷布団Ｆｂから離間させる効果や、２つの側方吐出孔５１０３から温風を吐出することより、より広い領域に温風を行き渡らせる効果を奏する。
【００６８】
図２９〜図３１は、本発明の他の実施形態を示している。なお、これらの図において、上記実施形態と同一または類似の要素には、上記実施形態と同一の符号を付している。
【００６９】
＜第２実施形態＞
図２９は、本発明の第２実施形態に係る乾燥装置の吐出ノズル５１を示している。本実施形態の吐出ノズル５１は、筒状部材５１０、第１可動部５１１及び第２可動部５１２を有する。
【００７０】
第２可動部５１２は、筒状部材５１０のうち第１可動部５１１とは異なる位置に設けられている。図示された例においては、第２可動部５１２は、筒状部材５１０に対して第１可動部５１１とはｙ方向における反対側に取り付けられている。第２可動部５１２は、例えば、主板部５１２１、２つの側板部５１２２及び２つの回転軸部材５１２３を有する。主板部５１２１、２つの側板部５１２２及び２つの回転軸部材５１２３の構成は、上述した主板部５１１１、２つの側板部５１１２及び２つの回転軸部材５１１３と同様である。
【００７１】
第２可動部５１２は、第１可動部５１１と同様に、通風方向に沿う第１状態と、通風方向と交差する方向に沿う第２状態と、に可動する。第１可動部５１１及び第２可動部５１２を第１状態とした場合、吐出ノズル５１は、吐出口５１０２のみから温風を吐出する。
【００７２】
第１可動部５１１及び第２可動部５１２を第２状態とした場合、第１可動部５１１及び第２可動部５１２は、図２９におけるｙ方向の両側に突出した状態となる。例えば、図２８における掛布団Ｆｏに第１可動部５１１の先端を当接させ、敷布団Ｆｂに第２可動部５１２の先端を当接させるように使用すると、掛布団Ｆｏと敷布団Ｆｂとをより大きく離間させることが可能であり、掛布団Ｆｏと敷布団Ｆｂとの間の空間をより拡大することができる。
【００７３】
あるいは、図２７における平面視両側に第１可動部５１１及び第２可動部５１２が突出するように使用すると、平面視におけるより広い領域において、掛布団Ｆｏと敷布団Ｆｂとを離間させることができる。なお、この使用例の場合、第１可動部５１１の主板部５１１１と第２可動部５１２の主板部５１２１とに覆われるように、筒状部材５１０の２つの側方吐出孔５１０３を設けることにより、図２７に図示された方向に温風を吐出することができる。
【００７４】
なお、２つの吐出部５が、それぞれ第１可動部５１１及び第２可動部５１２を有する吐出ノズル５１を備える構成に限定されず、一方の吐出部５の吐出ノズル５１のみが第１可動部５１１または第２可動部５１２を有する構成であってもよい。また、本実施形態とは異なり、１つのみの吐出部５を備える乾燥装置において、図２９に示す吐出ノズル５１を有する吐出部５の構成を採用してもよい。このような構成であっても、掛布団Ｆｏを敷布団Ｆｂから離間させる効果や、２つの側方吐出孔５１０３から温風を吐出することより、より広い領域に温風を行き渡らせる効果を奏する。
【００７５】
＜第３実施形態＞
図３０は、本発明の第３実施形態に係る乾燥装置の吐出部５を示している。本実施形態の吐出部５は、靴用アタッチメント５７を更に備えている。靴用アタッチメント５７は、一足の靴を乾燥する際に用いられるものであり、吐出ノズル５１の筒状部材５１０の吐出口５１０２に取り付けられている。
【００７６】
靴用アタッチメント５７は、２つの分岐吐出口５７１を有する。靴用アタッチメント５７内において、吐出口５１０２から吐出された温風が分岐され、２つの分岐吐出口５７１のそれぞれから温風が吐出される。２つの分岐吐出口５７１のそれぞれを片方ずつの靴に挿入することにより、一足の靴を同時に乾燥することができる。
【００７７】
なお、靴用アタッチメント５７が、脱着自在である場合、上述した第１実施形態または第２実施形態の乾燥装置に靴用アタッチメント５７を取り付けることにより、本実施形態の乾燥装置を構成することができる。
【００７８】
＜第４実施形態＞
図３１は、本発明の第４実施形態に係る乾燥装置を示している。本実施形態の乾燥装置Ａ４は、２つの起立用アタッチメント５８を更に備えている。乾燥装置Ａ４の他の構成は、上述した第１ないし第３実施形態の乾燥装置の構成を適宜採用可能であり、図示された例においては、乾燥装置Ａ１と同様の構成である。
【００７９】
２つの起立用アタッチメント５８は、各々がホース５２の長さと同じか若干短い程度の長さであり、断面円弧形状の図中ｚ方向に延びる部材である。起立用アタッチメント５８の内径は、ホース５２の外形と略同じか若干大きい。起立用アタッチメント５８の材質は特に限定されず、吐出部５を起立させる程度の剛性を確保しつつ、適度な可撓性を有する樹脂材料等が適宜選択される。
【００８０】
２つの起立用アタッチメント５８は、例えば筐体１の下面１０４を床面等に正対させた状態で筐体１を起立させ、ｚ方向に沿うように延ばした２つのホース５２にそれぞれ嵌め込む。これにより、２つのホース５２をｚ方向に沿うように起立させることが可能であり、吐出口５１０２がｚ方向上方に向くように２つの吐出ノズル５１を配置することができる。このような状態の乾燥装置Ａ４は、例えば室内においてハンガーに掛けられた衣服にｚ方向下側から温風を吹きかけることにより、衣類を乾燥することができる。また、２つの起立用アタッチメント５８によって、２つのホース５２のそれぞれを斜めに起立させ、互いにＶ字をなす状態とすれば、より広い領域に温風を吹きかけることが可能である。このように、乾燥装置Ａ４は、布団の乾燥と、衣類の乾燥とのそれぞれに適した形態で乾燥機能を果たすことができる。
【００８１】
なお、２つの吐出部５に、それぞれ起立用アタッチメント５８を装着する構成に限定されず、一方の吐出部５の５２のみに起立用アタッチメント５８を装着する構成であってもよい。また、本実施形態とは異なり、１つのみの吐出部５を備える乾燥装置において、ホース５２に起立用アタッチメント５８を装着する構成を採用してもよい。このような構成であっても、布団の乾燥と、衣類の乾燥とのそれぞれに適した形態で乾燥機能を果たすことができる。
【００８２】
本発明に係る乾燥装置は、上述した実施形態に限定されるものではない。本発明に係る乾燥装置の各部の具体的な構成は、種々に設計変更自在である。
【符号の説明】
【００８３】
Ａ１，Ａ４  ：乾燥装置
１          ：筐体
２          ：送風手段
３          ：加熱手段
４          ：分岐部
５          ：吐出部
７          ：操作部
８          ：電源部
１１        ：ホース係合部
１２        ：ハンドル部
１３        ：電源ケーブル収容部
１４        ：脚部
１５        ：脚部
１７        ：通風部
２１        ：ファン
２２        ：モータ
２３        ：ケーシング
３１        ：加熱部
３２        ：端子部
４０        ：入側開口
４１        ：第１出側ダクト
４２        ：第２出側ダクト
４３        ：入側ベース部
４４        ：隔壁
５１        ：吐出ノズル
５２        ：ホース
５３        ：ホース保持具
５４        ：ホースベース
５７        ：靴用アタッチメント
５８        ：起立用アタッチメント
７１        ：操作ボタン
７２        ：操作基板
１０１      ：前面
１０２      ：後面
１０３      ：上面
１０４      ：下面
１０５，１０６：側面
１１１      ：突片収容部
１３１      ：カバー
１６１，１６２，１６３：フィルタ
２３１      ：吸入口
２３２      ：送風口
４１１      ：直状内側面
４１２      ：屈曲内側面
４１３      ：出側縁部
４２１，４２２：屈曲内側面
４２３      ：出側縁部
５１０      ：筒状部材
５１１      ：第１可動部
５１２      ：第２可動部
５１５      ：アロマ保持部
５２１      ：ホース脱着部
５３１      ：リング状部
５３２      ：係合突片
５７１      ：分岐吐出口
１０２１    ：膨出部
１０３１    ：通気口
１０４１，１０５１，１０６１：吸気口
５１０１    ：入側口
５１０２    ：吐出口
５１０３    ：側方吐出孔
５１１１，５１２１：主板部
５１１２，５１２２：側板部
５１１３，５１２３：回転軸部材
Ｆｂ        ：敷布団
Ｆｏ        ：掛布団
Ｎ１        ：第１方向
Ｎ２        ：第２方向
【図１】
2020115079.tif 000003
【図２】
2020115079.tif 000004
【図３】
2020115079.tif 000005
【図４】
2020115079.tif 000006
【図５】
2020115079.tif 000007
【図６】
2020115079.tif 000008
【図７】
2020115079.tif 000009
【図８】
2020115079.tif 000010
【図９】
2020115079.tif 000011
【図１０】
2020115079.tif 000012
【図１１】
2020115079.tif 000013
【図１２】
2020115079.tif 000014
【図１３】
2020115079.tif 000015
【図１４】
2020115079.tif 000016
【図１５】
2020115079.tif 000017
【図１６】
2020115079.tif 000018
【図１７】
2020115079.tif 000019
【図１８】
2020115079.tif 000020
【図１９】
2020115079.tif 000021
【図２０】
2020115079.tif 000022
【図２１】
2020115079.tif 000023
【図２２】
2020115079.tif 000024
【図２３】
2020115079.tif 000025
【図２４】
2020115079.tif 000026
【図２５】
2020115079.tif 000027
【図２６】
2020115079.tif 000028
【図２７】
2020115079.tif 000029
【図２８】
2020115079.tif 000030
【図２９】
2020115079.tif 000031
【図３０】
2020115079.tif 000032
【図３１】
2020115079.tif 000033